(57)【要約】【課題】握り棒を差込部に所定の深さまで差し込んだことを確認でき、差込部の周壁と握り棒の端面間に隙間が生じないようにする。【解決手段】手摺の握り棒１１の端部を差し込む差込部２と、差込部２から取付面へ向けて延びるアーム部３とを備え、差込部２の周壁４で握り棒１１の外周を包囲する手摺用ブラケットにおいて、前記差込部２の周壁４に、差込部２の差込口から深さ方向へ延びる切込又は差込口から深さ方向に間隔をおいて配置された貫穴から成る確認窓６を設ける。確認窓６を介して、握り棒１１の端部が差込部２に所定の深さまで差し込まれたかどうかを確認することができるので、差込部２の周壁４と握り棒１１の端面間に見苦しい隙間が生じないようにすることができる。【選択図】図１
2013133596.tif 000002
【特許請求の範囲】
【請求項１】
手摺の握り棒(11)の端部を差し込む差込部(2)と、差込部(2)から取付面へ向けて延びるアーム部(3)とを備え、差込部(2)の周壁(4)で握り棒(11)の外周を包囲する手摺用ブラケットにおいて、前記差込部(2)の周壁(4)に、差込部(2)の差込口から深さ方向へ延びる切込又は差込口から深さ方向に間隔をおいて配置された貫穴から成る確認窓(6)を設けたことを特徴とする手摺用ブラケット。
【発明の詳細な説明】
【技術分野】
【０００１】
この発明は、手摺の握り棒の端部を壁面等の取付面に取り付けるブラケットに関するものである。
【背景技術】
【０００２】
一般に、室内での高齢者等の動作を補助する手摺の設置に際し、図８に示すようなブラケットが使用される。このブラケット５１は、パイプ形状の握り棒１１の端部を差し込む差込部５２と、差込部５２から取付面へ向けて延びるアーム部５３とを備え、差込部５２は、周壁５４と連結軸部５５とを有するものとなっている。握り棒１１は、現場で切断する場合、図示のように切断面が軸線に対して斜めになることがある。
【０００３】
このようなブラケット５１を使用した手摺の施工に際しては、図９に示すように、握り棒１１の両端部を一対のブラケット５１の差込部５２にそれぞれ差し込んで、連結軸部５５が握り棒１１の内側に挿入され、周壁５４で握り棒１１の外周が包囲されるようにし、アーム部５３の基部に形成された台座部５６を、固定ねじ５７で取付面に固定する。
【０００４】
なお、握り棒の端部を支持するＬ字状のブラケットは、一般的なものであり、例えば、下記特許文献１に記載されている。
【先行技術文献】
【特許文献】
【０００５】
【特許文献１】特開２００６−４５８１７号公報
【発明の概要】
【発明が解決しようとする課題】
【０００６】
ところで、上記のようなブラケット５１を使用した手摺において、施工に際し、差込部５２への握り棒１１の差し込みが不十分であった場合、施工後に握り棒１１が自重等で下がり、ブラケット５１の周壁５４の端面と握り棒１１の端面との間（図９におけるＸの位置）に隙間が生じて、見映えが悪くなり、施工不良の指摘がされることがある。
【０００７】
そこで、この発明は、握り棒を差込部に所定の深さまで差し込んだことを確認でき、差込部の周壁と握り棒の端面間に隙間が生じないようにすることを課題とする。
【課題を解決するための手段】
【０００８】
上記のような課題を解決するため、この発明は、手摺の握り棒の端部を差し込む差込部と、差込部から取付面へ向けて延びるアーム部とを備え、差込部の周壁で握り棒の外周を包囲する手摺用ブラケットにおいて、前記差込部の周壁に、差込部の差込口から深さ方向へ延びる切込又は差込口から深さ方向に間隔をおいて配置された貫穴から成る確認窓を設けたのである。
【発明の効果】
【０００９】
この発明に係る手摺用ブラケットでは、差込部の周壁に設けた確認窓を介して、握り棒の端部が差込部に所定の深さまで差し込まれたかどうかを確認することができるので、差込部の周壁と握り棒の端面間に見苦しい隙間が生じないようにすることができる。
【図面の簡単な説明】
【００１０】
【図１】この発明の実施形態に係る手摺用ブラケットと握り棒の端部を示す斜視図
【図２】同上の手摺を構成する一対のブラケットと握り棒を示す斜視図
【図３】同上のブラケットの両端部に握り棒を接続した状態を示す斜視図
【図４】同上のブラケットと握り棒の接続部を示す取付面側からの拡大図
【図５】同上の手摺の施工状態を示す側面図
【図６】同上の確認窓の他の実施形態を示す取付面側からの拡大図
【図７】同上の確認窓の他の実施形態を示す取付面側からの拡大図
【図８】従来の手摺用ブラケットと握り棒の端部を示す側面図
【図９】同上の手摺の施工状態を示す側面図
【発明を実施するための形態】
【００１１】
以下、この発明の実施形態を添付図面に基づいて説明する。
【００１２】
図１に示すブラケット１は、握り棒１１の端部に接続されるものであり、全体がプラスチック又はダイキャスト等の金属製とされ、或いは、主体部分を金属とし、後述するカバー１０のみをプラスチック製としたものとされている。
【００１３】
握り棒１１は、金属製の芯部材１２の外周を、プラスチック製の把持部材１３で被覆したパイプ形状のものであり、芯部材１２の内周には、握り棒１１の周方向の回転を阻止する係止突条１４が設けられている。
【００１４】
ブラケット１の基本構成は、握り棒１１の端部を差し込む差込部２と、差込部２から取付面へ向けて延びるアーム部３とを備え、差込部２は、周壁４と連結軸部５とを有し、従来のものよりも深くなっている。
【００１５】
ブラケット１の差込部２の周壁４には、差込口から深さ方向へ延びるスリット状の切込から成る確認窓６が設けられている。また、連結軸部５には、握り棒１１の係止突条１４が係合する係止溝７が形成されている。
【００１６】
アーム部３の基部には台座部８が設けられ、台座部８には、固定ねじを挿通する複数の挿通穴９が穿設されている。また、アーム部３の屈曲部分の外側には、カバー１０が着脱自在に設けられている。
【００１７】
このようなブラケット１を使用して、手摺を施工する際には、図２及び図３に示すように、握り棒１１の両端部を一対のブラケット１の差込部２に差し込んで、連結軸部５が握り棒１１の内側に挿入され、係止溝７に係止突条１４が係合し、周壁４で握り棒１１の端部外周が包囲されるようにする。
【００１８】
このとき、図４に示すように、差込部２の周壁４に設けた確認窓６を介して、握り棒１１の端部が差込部２に所定の深さまで差し込まれたかどうかを確認する。
【００１９】
そして、図３に示す状態から、カバー１０を一旦取り外し、台座部８の挿通穴９を介して固定ねじ１５を取付面にねじ込むことにより、図５に示すように、手摺を取付面に固定した後、アーム部３にカバー１０を取り付ける。
【００２０】
上記のような手摺用ブラケット１では、差込部２の周壁４に設けた確認窓６を介して、握り棒１１の端部が差込部２に所定の深さまで差し込まれたかどうかを確認することができるので、差込部２の周壁４と握り棒１１の端面間に見苦しい隙間が生じないようにすることができる。
【００２１】
なお、上記実施形態では、確認窓６として、差込部２の深さ方向へ延びるスリット状の切込から成るものを例示したが、確認窓６は、図６に示すように、握り棒１１の差込口から深さ方向に間隔をおいて配置された複数個の貫穴として、どの貫穴まで握り棒１１が見えるかにより、握り棒１１の差込深さを確認できるようにしてもよい。
【００２２】
また、確認窓６は、図７に示すように、差込部２の深さ方向へ延びるスリット状の切込６ａと、これに交差する方向へ延びるように、深さ方向に間隔をおいて配置された複数本のスリット状の切込６ｂとから成るものとして、どの切込６ｂまで握り棒１１が見えるかにより、握り棒１１の差込深さを確認できるようにしてもよい。
【符号の説明】
【００２３】
１  ブラケット
２  差込部
３  アーム部
４  周壁
５  連結軸部
６  確認窓
６ａ，６ｂ  切込
７  係止溝
８  台座部
９  挿通穴
１０  カバー
１１  握り棒
１２  芯部材
１３  把持部材
１４  係止突条
【図１】
2013133596.tif 000003
【図２】
2013133596.tif 000004
【図３】
2013133596.tif 000005
【図４】
2013133596.tif 000006
【図５】
2013133596.tif 000007
【図６】
2013133596.tif 000008
【図７】
2013133596.tif 000009
【図８】
2013133596.tif 000010
【図９】
2013133596.tif 000011